(57)【要約】【課題】玄関土間の奥行くがあまりない場合でも、玄関土間と玄関フロアとの間を車椅子で容易に移動でき、かつ、移動の際に車椅子の姿勢を保持できる玄関構造を提供する【解決手段】玄関フロア２に、この玄関フロア２の先端部２ａから奥側に延びて、車椅子の一対の車輪が走行可能な一対の溝６，６が設けられており、この一対の溝６，６の底面は、前記玄関フロア２の上面から前記玄関土間１の上面に向けて下方に傾斜する傾斜面６ａ，６ａとなっている。したがって、玄関土間１の奥行きがあまりない場合でも、玄関フロア２に溝６，６の長さを十分とって、その溝６，６の底面である傾斜面６ａ，６ａの長さを十分にとって傾斜面６ａ，６ａの勾配を小さくすることができるので、この傾斜面６ａ，６ａを車椅子の車輪で走行することによって、玄関土間１と玄関フロア２との間を車椅子で容易に移動できる。【選択図】図１
2005030122.tif 000002
【特許請求の範囲】
【請求項１】
玄関土間と玄関フロアとの間に所定の段差がある玄関構造であって、
前記玄関フロアに、この玄関フロアの先端部から奥側に延びて、車椅子の一対の車輪が走行可能な一対の溝が設けられており、
この一対の溝の底面は、前記玄関フロアの上面から前記玄関土間の上面に向けて下方に傾斜する傾斜面となっていることを特徴とする玄関構造。
【請求項２】
請求項１に記載の玄関構造において、
前記玄関土間に設置されて、前記傾斜面の延長に沿って下方に傾斜する補助傾斜面を有する補助部材を備えたことを特徴とする玄関構造。
【請求項３】
請求項２に記載の玄関構造において、
前記補助部材は、前記溝内に収納可能であることを特徴とする玄関構造。
【請求項４】
請求項３に記載の玄関構造において、
前記補助部材は、前記溝の端部側で前記玄関フロアに回動可能に連結されており、溝側に回動して、その補助傾斜面が溝の底面である傾斜面に当接することによって、溝に収納され、玄関土間側に回動して、玄関土間に設置されることによって、その補助傾斜面が溝の底面である傾斜面の延長上に配置されることを特徴とする玄関構造。
【請求項５】
請求項３または４に記載の玄関構造において、
前記一対の溝を覆う蓋部材が、その上面と前記玄関フロアの上面とがほぼ面一となるように設けられていることを特徴とする玄関構造。
【発明の詳細な説明】
【技術分野】
【０００１】
本発明は玄関土間と玄関フロアを備えた玄関構造に関するものである。
【背景技術】
【０００２】
一般に、住宅等の建物においては、玄関構造は、玄関土間から玄関フロアを一定の高さに上げた構造となっており、その境界部分に「上り框」と言われる框部材が設けられている。
玄関土間と玄関フロアとの段差が殆どないか僅かである場合は、玄関土間から玄関フロアに向けて車椅子が移動可能であるが、段差がある程度以上、例えば１０ｃｍ以上になると、車椅子で玄関土間と玄関フロアとの間を移動できない。
【０００３】
そこで、車椅子で玄関土間と玄関フロアとの間を移動できるようにした技術の一例として特許文献１に記載のものが知られている。
この技術は、通常は框部材と玄関フロアとの中間位置に配置された階段となって、車椅子使用時には傾いてその上面が傾斜面となる可動踏み台を有することを特徴とするものである。したがって、通常使用時には可動踏み台を中間階段とすると、高齢者であっても比較的楽に上り降りすることができ、一方、可動踏み台を傾斜させて玄関土間と玄関フロアを連結する傾斜面とすると、車椅子によって玄関土間と玄関フロアとの間を移動できる。
【特許文献１】特開平０９−１００６２０号公報
【発明の開示】
【発明が解決しようとする課題】
【０００４】
ところが、上記の技術では、可動踏み台が玄関土間に配置されるので、玄関土間の奥行きがあまりない場合、可動踏み台の奥行きを小さくせざるを得ないので、可動踏み台を傾斜させた際の傾斜面の勾配が大きくなって、車椅子で移動し難くなるという問題がある。
一方、玄関土間の奥行きが比較的ある場合、可動踏み台の奥行きを大きくとることによって、可動踏み台の傾斜面の勾配を小さくすることができるが、この場合、傾斜面が長くなるので、この傾斜面を車椅子が移動する際に、車椅子が傾斜面上で回転してしまうこともあり、車椅子の姿勢を保つのが困難であるという問題がある。
【０００５】
本発明は上記事情に鑑みてなされたもので、玄関土間の奥行くがあまりない場合でも、玄関土間と玄関フロアとの間を車椅子で容易に移動でき、かつ、移動の際に車椅子の姿勢を保持できる玄関構造を提供することを課題としている。
【課題を解決するための手段】
【０００６】
上記課題を解決するために、請求項１に記載の発明は、例えば図１および図２に示すように、玄関土間１と玄関フロア２との間に所定の段差がある玄関構造であって、
前記玄関フロア２に、この玄関フロア２の先端部２ａから奥側に延びて、車椅子の一対の車輪が走行可能な一対の溝６，６が設けられており、
この一対の溝６，６の底面は、前記玄関フロア２の上面から前記玄関土間１の上面に向けて下方に傾斜する傾斜面６ａ，６ａとなっていることを特徴とする。
【０００７】
ここで、前記傾斜面６ａの先端部は玄関土間１の上面とほぼ同高さ位置にあるのが望ましいが、玄関土間１の上面より若干高い位置にあってもよい。この場合、傾斜面６ａの先端部と玄関土間１の上面との間に若干の段差が生じるが、この段差部に傾斜面を有する調整部材７を設置することによって、段差を吸収すればよい。
【０００８】
請求項１に記載の発明によれば、玄関フロア２に車椅子の車輪が走行可能な一対の溝６，６が設けられており、この溝６，６の底面が玄関フロア２の上面から玄関土間１の上面に向けて下方に傾斜する傾斜面６ａ，６ａとなっているので、玄関土間１の奥行きがあまりない場合でも、玄関フロア２に溝６，６の長さを十分とって、その溝６，６の底面である傾斜面６ａ，６ａの長さを十分にとることができる。
したがって、傾斜面６ａ，６ａの勾配を小さくすることができるので、この傾斜面６ａ，６ａを車椅子の車輪で走行することによって、玄関土間１と玄関フロア２との間を車椅子で容易に移動できる。
また、溝６，６の底面が傾斜面６ａ，６ａとなっているので、この傾斜面６ａ，６ａを車椅子が移動する際に、車椅子の車輪が溝６，６によって案内されるので、車椅子が傾斜面６ａ，６ａ上で回転したり脱輪するのを防止でき、よって、車椅子の姿勢を容易かつ確実に保持できる。
【０００９】
請求項２に記載の発明は、例えば図３〜図５、（図６）に示すように、請求項１に記載の玄関構造において、
前記玄関土間１に設置されて、前記傾斜面６の延長に沿って下方に傾斜する補助傾斜面１０ａ（１７ｂ）を有する補助部材１０（１７）を備えたことを特徴とする。
【００１０】
この補助部材１０（１７）は玄関土間１に固定的に設置してもよいが、車椅子を使用しないときは玄関の所定の場所に収納できるようにするのが望ましい。
【００１１】
請求項２に記載の発明によれば、玄関土間１に補助部材１０（１７）を設置することによって、溝６の底面である傾斜面６ａの延長に沿って下方に傾斜する補助傾斜面１０ａ（１７ｂ）が設けられるので、溝６の底面である傾斜面６ａの勾配を、補助傾斜面を設けない場合に比して、小さくすることができる。したがって、玄関フロア１の奥行きがやや小さい場合でも、溝６の傾斜面６ａと補助部材１０（１７）の補助傾斜面１０ａ（１７ｂ）とによって、全体の勾配を小さくでき、よって玄関土間１と玄関フロア２との間を車椅子で容易に移動できる。
【００１２】
請求項３に記載の発明は、例えば図３〜図５に示すように、請求項２に記載の玄関構造において、
前記補助部材１０は、前記溝６内に収納可能であることを特徴とする。
【００１３】
補助部材１０は、溝６の形状とほぼ等しく形成し、溝６内に収納した場合に、玄関フロア２の上面と面一かあるいは若干窪んだ状態となるのが好ましい。
【００１４】
請求項３に記載の発明によれば、補助部材１０が溝６内に収納可能であるので、車椅子を使用しない場合は、補助部材１０を収納しておくことで、補助部材１０が玄関土間１で邪魔になることがない。
【００１５】
請求項４に記載の発明は、請求項３に記載の玄関構造において、
前記補助部材１０は、前記溝６の端部側で前記玄関フロア２に回動可能に連結されており、溝６側に回動して、その補助傾斜面６ａが溝６の底面である傾斜面６ａに当接することによって、溝６に収納され、玄関土間１側に回動して、玄関土間１に設置されることによって、その補助傾斜面１０ａが溝６の底面である傾斜面６ａの延長上に配置されることを特徴とする。
【００１６】
請求項４に記載の発明によれば、車椅子を使用しない場合は、補助部材１０を溝６側に回動して、その補助傾斜面１０ａを溝６の底面である傾斜面６ａに当接することによって、溝６に収納し、車椅子を使用する場合は、補助部材１０を玄関土間１側に回動して、玄関土間１に設置することによって、その補助傾斜面１０ａを溝６の底面である傾斜面６ａの延長上に配置する。したがって、補助部材１０を容易に収納できるとともに、補助傾斜面１０ａを傾斜面６ａの延長上に配置でき、補助部材１０の使い勝手がよい。
【００１７】
請求項５に記載の発明は、請求項３または４に記載の玄関構造において、
前記一対の溝６，６を覆う蓋部材１５が、その上面と前記玄関ホール２の上面２ｃとがほぼ面一となるように設けられていることを特徴とする。
【００１８】
請求項５に記載の発明によれば、蓋部材１５によって一対の溝６，６を覆うことによって、溝６，６内に収納した補助部材１０，１０を隠すことができ、また、蓋部材１０の上面が玄関フロア２の上面２ｃとほぼ面一となるので、玄関フロア２に段差が生じることがない。
【発明の効果】
【００１９】
請求項１に記載の発明によれば、玄関フロアに車椅子の車輪が走行可能な一対の溝が設けられており、この溝の底面が玄関フロアの上面から玄関土間の上面に向けて下方に傾斜する傾斜面となっているので、玄関土間の奥行きがあまりない場合でも、傾斜面の勾配を小さくすることができる。したがって、この傾斜面を車椅子の車輪で走行することによって、玄関土間と玄関フロアとの間を車椅子で容易に移動できる。
また、車椅子の車輪が溝によって案内されるので、車椅子が傾斜面上で回転ｓたり脱輪するのを防止でき、よって、車椅子の姿勢を容易かつ確実に保持できる。
【００２０】
請求項２に記載の発明によれば、玄関土間に補助部材を設置することによって、溝の底面である傾斜面の延長に沿って下方に傾斜する補助傾斜面が設けられるので、玄関フロアの奥行きがやや小さい場合でも、溝の傾斜面と補助部材の補助傾斜面とによって、全体の勾配を小さくでき、よって玄関土間と玄関フロアとの間を車椅子で容易に移動できる。
【００２１】
請求項３に記載の発明によれば、補助部材が溝内に収納可能であるので、車椅子を使用しない場合は、補助部材を収納しておくことで、補助部材が玄関土間で邪魔になることがない。
【００２２】
請求項４に記載の発明によれば、車椅子を使用しない場合は、補助部材を溝側に回動して溝に収納し、車椅子を使用する場合は、補助部材を玄関土間側に回動して、その補助傾斜面を溝の底面である傾斜面の延長上に配置する。したがって、補助部材を容易に収納できるとともに、補助傾斜面を傾斜面の延長上に配置でき、補助部材の使い勝手がよい。
【００２３】
請求項５に記載の発明によれば、蓋部材によって溝内に収納した補助部材を隠すことができ、また、蓋部材の上面が玄関フロアの上面とほぼ面一となるので、玄関フロアに段差が生じることがない。
【発明を実施するための最良の形態】
【００２４】
以下、図面を参照して本発明を実施するための最良の形態について説明する。
（第１の実施の形態）
図１および図２は第１の実施の形態を示すもので、図１は本発明に係る玄関構造を備えた玄関を示す平面図、図２は玄関土間と玄関フロアを示す図である。
これらの図において、符号１は玄関土間、符号２は玄関フロアを示す。
玄関土間１は、打設されたコンクリートによって形成されており、表面にはタイル等の仕上げ材が施工されている。本実施の形態では、玄関土間１は平面視矩形状に形成されており、玄関ドア３の外側には玄関ポーチ４が設けられている。玄関ポーチ４も打設されたコンクリートによって形成されており、表面にはタイル等の仕上げ材が施されている。玄関ポーチ４の上面は、玄関土間１の上面より若干低くなっている。
【００２５】
玄関フロア２は、平面視矩形状に形成されており、その幅は玄関土間１の幅と等しく、奥行きは玄関土間１の奥行きとほぼ等しいか、若干短くなっている。玄関フロア２は、図２に示すように、床パネル５で形成されている。床パネル５は図示は省略するが、框材を縦横に組立ててなる枠体の内側に補強桟材を組み付け、さらに枠体の上面に合板等で形成された面材を取付けてなるものである。
玄関フロア２には、一対の溝６，６が形成されている。溝６，６は車椅子の一対の車輪が走行可能なものであり、溝６，６間の距離は車椅子の車輪間の距離と等しくなっている。また、溝６，６は玄関フロア２の先端部２ａから奥側に延びるようにして形成されており、玄関フロア２の先端部２ａに平面視において接するようにして、調整部材７が玄関土間１に設置されている。調整部材７はゴム等によって形成されたもので、その上面は傾斜しており、車椅子の車輪が玄関土間１から溝６，６に乗り移る際の補助を行う。
【００２６】
前記溝６，６はの底面６ａ，６ａは、玄関フロア２の上面から玄関土間２の上面に向けて下方に傾斜する傾斜面６ａ，６ａとなっている。傾斜面６ａ，６ａはその勾配が１／３より小さくなるように、水平面に対して傾斜しており、傾斜面６ａ，６ａの先端部は、調整部材７の上面とほぼ同高さとなっている。
また、傾斜面６ａ，６ａには、ゴムシートを張り付けたり、こまかな突起を形成したりして、滑り止め加工が施されている。
溝６，６が形成されている部位の周囲には、床仕上材８が敷設されており、溝６，６が形成されている部位の玄関フロア２は、仕上加工が施されている。また、溝６，６が形成されている部位より奥側には、スペース１０が設けられており、溝６，６の傾斜面６ａ，６ａを上ってきたり、傾斜面６ａ，６ａを下ろうとする車椅子の向きをスペース１０上で変更できるようになっている。
【００２７】
このような構成の玄関構造では、玄関フロア２に車椅子の車輪が走行可能な一対の溝６，６が設けられており、この溝６，６の底面６ａ，６が玄関フロア２の上面から玄関土間１の上面に向けて下方に傾斜する傾斜面６ａ，６となっているので、玄関土間１の奥行きがあまりない場合でも、玄関フロア２に溝６，６の長さを十分とって、その溝６，６の底面である傾斜面６ａ，６の長さを十分にとることができる。したがって、傾斜面６ａ，６の勾配を小さくすることができるので、この傾斜面６ａ，６を車椅子の車輪で走行することによって、玄関土間１と玄関フロア２との間を車椅子で容易に移動できる。
また、溝６，６の底面が傾斜面６ａ，６となっているので、この傾斜面６ａ，６を車椅子が移動する際に、車椅子の車輪が溝６，６によって案内されるので、車椅子が傾斜面６ａ，６上で回転したり脱輪するのを防止でき、よって、車椅子の姿勢を容易かつ確実に保持できる。
【００２８】
（第２の実施の形態）
図３〜図５は第２の実施の形態を示すもので、図３は本発明に係る玄関構造を備えた玄関を示す平面図、図４は玄関土間と玄関フロアを示す図、図５は蓋部材を示す図である。
本実施の形態が、図１および図２に示した第１の実施の形態と異なる点は、補助部材や蓋部材を備えた点であるので、以下ではこの点について説明し、第１の実施の形態と同一の部分には、同一符号を付してその説明を省略する。
【００２９】
本実施の形態では、一対の補助部材１０，１０を備えている。この補助部材１０，１０は、側面視略直角三角形状のものであり、その上面は前記傾斜面６ａの延長に沿って下方に傾斜する補助傾斜面１０ａとされている。また、補助部材１０の下面には、ゴム等で形成されたパッド１１，１１が貼り付けられており、このパッド１１，１１を介して補助部材１０が玄関土間１の上面に設置されるようになっている。
また、補助部材１０の上面には、一対の突起１０ｂ，１０ｂが傾斜面１０ａを挟むようにして形成されている。突起１０ｂ，１０ｂは車椅子の脱輪防止用のものであり、傾斜面１０ａに沿って互いに平行に形成されている。
さらに、補助部材１０の先端部には、先端部材１２が設けられている。この先端部材１２はゴム等によって形成されたもので、その上面は傾斜しており、車椅子の車輪が玄関土間１から補助部材１０の補助傾斜面１０ａ乗り移る際の補助を行う。
【００３０】
補助部材１０は、溝６内に収納可能である。すなわち、溝６は補助部材１０とほぼ等しい形状をなしており、溝６の底面には補助部材１０の突起１０ｂ，１０ｂが納められる細溝６ｂ，６ｂが形成されている。
また、補助部材１０は、溝６，６の端部側で玄関フロア２を構成する床パネル５に回動可能に連結されている。補助部材１０と床パネル５との連結は、例えば蝶番等により行えばよい。そして、補助部材１０は、溝６側に回動して、その補助傾斜面１０ａが溝６の底面である傾斜面６ａに当接するとともに、突起１０ｂが細溝６ｂに納まることによって、溝６に収納される。また、補助部材１０は、玄関土間１側に回動して、玄関土間１に補助部材１０の下面がパッド１１，１１を介して設置されることによって、その補助傾斜面１０ａが溝６の底面である傾斜面６ａの延長上に配置される。
【００３１】
玄関フロア２に設けられた溝６，６に補助部材１０，１０が収納された状態において、補助部材１０の上面（パッド１１が取付けられている面）は、玄関フロア２の上面２ｂとほぼ面一か若干窪んでいる。また、溝６，６が形成された玄関フロア２の上面２ｂと隣り合う上面２ｃは上面２ｂより若干高くなっている。
そして、一対の溝６，６を覆う蓋部材１５が、その上面と玄関フロア２の上面２ｃとがほぼ面一となるように設けられている。
蓋部材１５は、図５（ａ）、（ｂ）に示すように、矩形板状の蓋本体１５ａと、この蓋本体１５ａの先端部に設けられた框材１５ｂと、蓋本体１５ａの上面に貼設された床仕上材１５ｃとから構成されており、床仕上材１５ｃは前記床仕上材８と同じ材質のものである。
そして、このような蓋部材１５は、溝６，６に補助部材１０，１０を収納した後、玄関フロア２の上面２ｂに被される。この際、蓋部材１５によって溝６，６が覆われるとともに、框材１５ｂが玄関フロア２の先端部２ａに係合され、この框材１５ｂが玄関フロア２の上り框となる。
【００３２】
このような構成の玄関構造では、上記第１の実施の形態と同様に、玄関土間１の奥行きがあまりない場合でも、溝６，６の長さを十分とって、その溝６，６の底面である傾斜面６ａ，６の長さを十分にとることができる。したがって、傾斜面６ａ，６の勾配を小さくすることができるので、この傾斜面６ａ，６を車椅子の車輪で走行することによって、玄関土間１と玄関フロア２との間を車椅子で容易に移動できる。
また、溝６，６の底面が傾斜面６ａ，６となっているので、この傾斜面６ａ，６を車椅子が移動する際に、車椅子の車輪が溝６，６によって案内されるので、車椅子が傾斜面６ａ，６上で回転するのを防止でき、よって、車椅子の姿勢を容易かつ確実に保持できる。さらに、補助部材１０の補助傾斜面１０ａの両側に突起１０ｂ，１０ｂが形成されているので、補助傾斜面１０ａを車椅子が走行している際の脱輪を防止できる。
【００３３】
また、玄関土間１に補助部材１０を設置することによって、玄関フロア２の溝６の底面である傾斜面６ａの延長に沿って下方に傾斜する補助傾斜面１０ａが設けられるので、溝６の底面である傾斜面６ａの勾配を、補助傾斜面１０ａを設けない場合に比して、小さくすることができる。したがって、玄関フロア２の奥行きがやや小さい場合でも、溝６の傾斜面６ａと補助部材１０の補助傾斜面１０ａとによって、全体の勾配を小さくでき、よって玄関土間１と玄関フロア２との間を車椅子で容易に移動できる。
加えて、補助部材１０が溝６内に収納可能であるので、車椅子を使用しない場合は、補助部材１０を収納しておくことで、補助部材１０が玄関土間１で邪魔になることがない。
また、車椅子を使用しない場合は、補助部材１０を溝６側に回動して、溝６に収納し、車椅子を使用する場合は、補助部材１０を玄関土間１側に回動して、玄関土間１に設置することによって、その補助傾斜面１０ａを溝６の底面である傾斜面６ａの延長上に配置する。したがって、補助部材１０を容易に収納できるとともに、補助傾斜面１０ａを傾斜面６ａの延長上に配置でき、補助部材１０の使い勝手がよい。
また、蓋部材１５によって一対の溝６，６を覆うことによって、溝６内に収納した補助部材１０を隠すことができ、また、蓋部材１５の上面が玄関フロア２の上面２ｃとほぼ面一となるので、玄関フロア２に段差が生じることもない。
【００３４】
（第３の実施の形態）
図６は第３の実施の形態を示すもので、玄関フロアと補助部材を示す平面図である。
本実施の形態では、玄関フロア２に設ける溝１６，１６が、前記溝６，６より短い場合に、据置型の補助部材１７を玄関土間１に設置したものである。
溝１６の長さは、前記第１の実施の形態における溝６の長さの約半分程度となっているが、溝１６の底面である傾斜面１６ａの勾配は、前記溝６の傾斜面６ａの勾配とほぼ等しくなっている。
【００３５】
補助部材１７は、一対のスロープ部材１７ａ，１７ａと、これらスロープ部材１７ａ，１７ａを連結する連結部１７ｂとから構成されている。スロープ部材１７ａ，１７ａの間隔は、前記溝１６，１６の間隔と等しくなっている。また、スロープ部材１７ａ，１７ａの上面は、前記傾斜面１６ａ，１６ａの延長に沿って下方に傾斜する補助傾斜面１７ｂ，１７ｂとされている。
また、スロープ部材１７ａ上面には、一対の突起１７ｃ，１７ｃが傾斜面１７ｂを挟むようにして形成されている。突起１７ｃ，１７ｃは車椅子の脱輪防止用のものであり、傾斜面１７ｂに沿って互いに平行に形成されている。
さらに、スロープ部材１７ａの先端部には、先端部材１８が設けられている。この先端部材１８はゴム等によって形成されたもので、その上面は傾斜しており、車椅子の車輪が玄関土間１からスロープ部材１７ａの補助傾斜面１７ｂ乗り移る際の補助を行う。
【００３６】
本実施の形態では、車椅子を使用する場合は、補助部材１７を玄関土間１に玄関フロア２の先端部に当接するようにして設置する。その場合、玄関フロア２の溝１６，１６の延長上に、補助部材１７のスロープ部材１７ａ，１７ａが位置するようにして設置する。これによって、玄関フロア２の傾斜面１６ａ，１６ａの延長上に連続して補助傾斜面１７ｂ，１７ｂが配置される。そして、これら傾斜面１６ａ，１６ａ、補助傾斜面１７ｂ，１７ｂ上を車椅子が走行して、玄関土間１と玄関フロア２との間の移動が行える。
車椅子を使用しない場合は、補助部材１７を玄関土間１の上面から引き上げて、隅に立て掛けておく。
【００３７】
本実施の形態でも、第２の実施の形態の場合と同様に、玄関フロア２の溝１６の底面である傾斜面１６ａの延長に沿って下方に傾斜する補助傾斜面１７ｂが設けられるので、溝１６の底面である傾斜面１６ａの勾配を、補助傾斜面１７ｂを設けない場合に比して、小さくすることができる。したがって、玄関フロア２の奥行きがやや小さい場合でも、溝１６の傾斜面１６ａと補助部材１７の補助傾斜面１７ｂとによって、全体の勾配を小さくでき、よって玄関土間１と玄関フロア２との間を車椅子で容易に移動できる。
また、本実施の形態では、溝１６の長さが第２の実施の形態における溝６より短いので、溝１６を形成するための床パネルの切り込みを小さくできる。
【００３８】
なお、前記第１〜第３の実施の形態では、玄関フロア２が床パネルによって形成される場合に、この床パネルに溝６、１６を形成する場合を例にとって説明したが、本発明はこれに限ることなく、通常の軸組みで形成された玄関フロアにも適用できる。
【図面の簡単な説明】
【００３９】
【図１】本発明に係る玄関構造の第１の実施の形態を示すもので、玄関構造を備えた玄関を示す平面図である。
【図２】同、玄関土間と玄関フロアを示す図であり、（ａ）は平面図、（ｂ）は側面図、（ｃ）は正面図である。
【図３】本発明に係る玄関構造の第２の実施の形態を示すもので、玄関構造を備えた玄関を示す平面図である。
【図４】同、玄関フロアと補助部材とを示す図であり、（ａ）は平面図、（ｂ）は側面図、（ｃ）は正面図である。
【図５】同、蓋部材を示す図であり、（ａ）は平面図、（ｂ）は側面図である。
【図６】本発明に係る玄関構造の第３の実施の形態を示すもので、玄関フロアと補助部材を示す平面図である。
【符号の説明】
【００４０】
１  玄関土間
２  玄関フロア
６，１６  溝
６ａ,１６ａ  傾斜面
１０,１７  補助部材
１０ａ,１７ｂ  補助傾斜面
１５  蓋部材
【図１】
2005030122.tif 000003
【図２】
2005030122.tif 000004
【図３】
2005030122.tif 000005
【図４】
2005030122.tif 000006
【図５】
2005030122.tif 000007
【図６】
2005030122.tif 000008